(57)【要約】【課題】  情報記録媒体を扱いやすくする情報記録媒体付きシートを提供する。【解決手段】  情報記録媒体１をシート３に貼付け、シート３には、情報記録媒体１の外周の少なくとも一部に沿って、ミシン目又はハーフカット４を形成する。使用時には、ミシン目又はハーフカット４を切り、情報記録媒体１をシート３に対して角度を持たせるように立たせることによって、情報記録媒体１がシート３に貼付されたままの状態で、電子機器の挿入スロットに挿入することができる。【選択図】  図１
2010244263.tif 000002
【特許請求の範囲】
【請求項１】
情報記録媒体がシートに貼付されており、
前記情報記録媒体の外周の少なくとも一部に沿って、前記シートにミシン目又はハーフカットが形成されていることを特徴とする情報記録媒体付きシート。
【請求項２】
前記情報記録媒体は、端子が露出するように貼付されており、
前記ミシン目又はハーフカットは、少なくとも電子機器に挿入される情報記録媒体の辺に沿って、シートに形成されていることを特徴とする請求項１に記載の情報記録媒体付きシート。
【請求項３】
前記シートは、葉書きまたはカードであることを特徴とする請求項１又は２に記載の情報記録媒体付きシート。
【請求項４】
前記情報記録媒体には前記シートにかけて、保護シールが貼られていることを特徴とする請求項１〜３のうちいずれか一項に記載の情報記録媒体付きシート。
【請求項５】
前記シートは、葉書きであり、
前記情報記録媒体は、葉書きを構成する紙によって両面から挟まれるように、前記紙に貼り合わされており、
前記葉書きを構成する紙のうち、前記ミシン目又はハーフカットが形成された紙片と反対側の紙片とは、剥離可能な接着剤によって貼り合わされていることを特徴とする請求項１〜３のうちいずれか一項に記載の情報記録媒体付きシート。
【請求項６】
前記シートは、往信用紙片、中央紙片及び返信用紙片が連接された三紙片により構成される往復葉書きであり、
前記情報記録媒体は、前記中央紙片に貼り付けられており、
前記ミシン目又はハーフカットは、前記中央紙片に、前記情報記録媒体の外周の少なくとも一部に沿って形成されており、
前記往信用紙片と前記中央紙片とは、前記情報記録媒体を挟むように、剥離可能な接着剤によって貼り合わされており、
前記返信用紙片には、前記中央紙片と前記情報記録媒体を挟むように貼り合わされるための接着層が、剥離シートにカバーされて形成されていることを特徴とする請求項１〜３のうちいずれか一項に記載の情報記録媒体付きシート。
【請求項７】
請求項１〜６のうちいずれか一項に記載の情報記録媒体付きシートにおいて、
前記ミシン目又はハーフカットに沿って切り、前記情報記録媒体を前記シートに対して角度を持たせるように立たせ、前記情報記録媒体が前記シートに貼付されたままの状態で、電子機器の挿入スロットに挿入することを特徴とする情報記録媒体の利用方法。
【発明の詳細な説明】
【技術分野】
【０００１】
本発明は、情報記録媒体を貼付するシート等に関する。
【背景技術】
【０００２】
従来、ネットワーク技術の普及、拡大により各種データ通信が容易に利用できるようになっている。ネットワークによるデータ通信には、インターネットや携帯電話回線網等が利用され、大容量のデータ通信が可能となってきている。そして近年、プロバイダーが提供するサーバに、デジタルカメラで撮像した画像データを、インターネットを経由して、個人の端末からアップロードし、他人が、別の端末からインターネットを経由してそのサーバにアクセスし、アップロードされた画像データをその端末にダウンロードして鑑賞できるシステムも提供されている。
【０００３】
また、液晶ディスプレイ等を用い、デジタルカメラ等で撮影した画像を表示するデジタルフォトフレームも登場している。デジタルフォトフレームは、情報記録媒体を挿入し、情報記録媒体に保存された画像データを読み取って、再生表示するものである。情報記録媒体に複数の画像データが保存されていれば、表示する画像データを選択したり、画像を順次切り替えて表示するスライドショーなどの画像再生をすることができる。
【０００４】
また、情報記録媒体を葉書き等によって郵送するための構造として、葉書きを積層構造にして情報記録媒体を挟み込んだり、貼り付けたりすることが提案されている（例えば特許文献１〜５）。
【先行技術文献】
【特許文献】
【０００５】
【特許文献１】特開２００６−１０３８号公報
【特許文献２】特開２００４−２９１２８６号公報
【特許文献３】特開２００４−２１６９０７号公報
【特許文献４】特開２００３−２２４１９号公報
【特許文献５】特開２０００−２３３５８５号公報
【発明の概要】
【発明が解決しようとする課題】
【０００６】
ところが、通信設備の貧弱な過疎地では、インターネットを利用することができない場合がある。そのときには、遠隔地の者から画像データ等の電子データを入手するには、情報記録媒体に記録して、送付してもらわなければならない。また、高齢者など電子機器に不慣れな者などにとっては、インターネットを利用することもままならず、電子データが記録された情報記録媒体の送付が望ましい場合がある。また、高齢者など電子機器に不慣れな者などにとって、小さい情報記録媒体は扱いにくく、返却しなければならない場合であっても無くしやすい。また、情報記録媒体にどのようなデータが記録されているのか忘れやすい。
【０００７】
そこで、本発明は、電子機器に不慣れな者などにとっても、情報記録媒体を扱いやすくする情報記録媒体付きシートを提供することを目的とする。
【課題を解決するための手段】
【０００８】
本発明に係る情報記録媒体付きシートは、情報記録媒体がシートに貼付されており、前記情報記録媒体の外周の少なくとも一部に沿って、前記シートにミシン目又はハーフカットが形成されていることを特徴とする。
【０００９】
この情報記録媒体付きシートによれば、ミシン目又はハーフカットに沿って、シートにおける情報記録媒体の外周の少なくとも一部を切り、情報記録媒体をシートに対して角度を持たせるように立たせることによって、情報記録媒体がシートに貼付されたままの状態で、電子機器の挿入スロットに挿入することができる。また、情報記録媒体が小さくとも、シートに貼付されたままの状態であるので、電子機器類に不慣れな者にとっても、取扱い易い。また、シートに情報記録媒体のデータの内容を書き込んでおくことで、データの内容を確認しやすくすることができる。
【００１０】
上記情報記録媒体付きシートにおいて、前記情報記録媒体は、端子が露出するように貼付されており、前記ミシン目又はハーフカットは、少なくとも電子機器に挿入される情報記録媒体の辺に沿って、シートに形成されているとよい。この構成により、電子機器に挿入される情報記録媒体の辺に沿って形成されたミシン目又はハーフカットを切り取り、それ以外の辺のシート部分を折り曲げることによって、情報記録媒体をシートに繋がれた状態のまま、電子機器の挿入スロットに挿入することができる。
【００１１】
また上記情報記録媒体付きシートにおいて、前記シートは、葉書きまたはカードとするとよい。シートが葉書きである場合には、その葉書きによって、情報記録媒体を郵送することができる。シートがカードである場合には、持ち運びに便利である。
【００１２】
また上記情報記録媒体付きシートにおいて、前記情報記録媒体には前記シートにかけて、保護シールが貼られているとよい。この構成により、情報記録媒体がシートと保護シールによって挟まれて保護される。
【００１３】
あるいは、上記情報記録媒体付きシートにおいて、前記シートは、葉書きであり、前記情報記録媒体は、葉書きを構成する紙によって両面から挟まれるように、前記紙に貼り合わされており、前記葉書きを構成する紙のうち、前記ミシン目又はハーフカットが形成された紙片と反対側の紙片とは、剥離可能な接着剤によって貼り合わされているよう構成するとよい。この構成により、葉書きを構成する紙片同士は、剥離可能な接着剤によって貼り合わされているため、剥離することができる。剥離後に、ミシン目又はハーフカットに沿って、情報記録媒体の外周の一部を切り、情報記録媒体を紙片に対して角度を持たせるように立たせることによって、情報記録媒体が紙片に貼付されたままの状態で、電子機器の挿入スロットに挿入することができる。
【００１４】
あるいは、上記情報記録媒体付きシートにおいて、前記シートは、往信用紙片、中央紙片及び返信用紙片が連接された三紙片により構成される往復葉書きであり、前記情報記録媒体は、前記中央紙片に貼り付けられており、前記ミシン目又はハーフカットは、前記中央紙片に、前記情報記録媒体の外周の少なくとも一部に沿って形成されており、前記往信用紙片と前記中央紙片とは、前記情報記録媒体を挟むように、剥離可能な接着剤によって貼り合わされており、前記返信用紙片には、前記中央紙片と前記情報記録媒体を挟むように貼り合わされるための接着層が、剥離シートにカバーされて形成されているよう構成されるとよい。
【００１５】
この構成により、情報記録媒体付きシートを往復葉書きとして、情報記録媒体を郵送する場合には、情報記録媒体は、往信用紙片と中央紙片との間に挟まれて保護されることとなる。また、往復葉書きを受け取った後、受取者は、中央紙片を往信用紙片から剥がし、ミシン目又はハーフカットに沿って、情報記録媒体の外周の一部を切り、情報記録媒体を紙片に対して角度を持たせるように立たせることによって、情報記録媒体が中央紙片に貼付されたままの状態で、電子機器の挿入スロットに挿入することができる。さらに、受取者は、情報記録媒体の利用後、返信用紙片から剥離シートを剥がして接着層を露出させ、情報記録媒体を挟むように返信用紙片と中央紙片とを貼り合わせることで、情報記録媒体を返信用葉書きで郵送することができる。
【００１６】
また、本発明における情報記録媒体を利用方法は、上記情報記録媒体付きシートにおいて、前記ミシン目又はハーフカットに沿って切り、前記情報記録媒体を前記シートに対して角度を持たせるように立たせ、前記情報記録媒体が前記シートに貼付されたままの状態で、電子機器の挿入スロットに挿入することを特徴とする。
【００１７】
この方法により、情報記録媒体は、シートに貼付された状態で利用されるため、電子機器類に不慣れな者であっても無くしにくく、シートに情報記録媒体の記録データの内容を書き留めておくこともできる。
【発明の効果】
【００１８】
本発明に係る情報記録媒体付きシートによれば、情報記録媒体が扱いやすくなる。
【図面の簡単な説明】
【００１９】
【図１】第１実施形態における情報記録媒体付きシートを示し、図１（ａ）は、情報記録媒体付きシートの分解斜視図、図１（ｂ）は、情報記録媒体付きシートの斜視図を示す。
【図２】図１に示す情報記録媒体付きシートの断面図を示し、図２（ａ）は、図１（ｂ）のII（ａ）−II（ａ）断面図、図２（ｂ）は、II（ｂ）−II（ｂ）断面図を示す。
【図３】図１に示す情報記録媒体を利用する方法を示す図であり、図３（ａ）は、シートから保護シールを剥がす様子を示し、図３（ｂ）は、シートから保護シールを剥がした後の状態を示し、図３（ｃ）は、情報記録媒体をシートに対して角度を持たせるように立たせた状態を示す図である。
【図４】図３（ｃ）に示す情報記録媒体にアダプタを被せる様子を示す図であり、図４（ａ）は、情報記録媒体にアダプタを被せる前の状態を示し、図４（ｂ）は、情報記録媒体にアダプタを被せた状態を示し、図４（ｃ）は、アダプタ付きの情報記録媒体を電子機器に挿入する様子を示す図である。
【図５】図４（ｃ）に示すアダプタ付きの情報記録媒体を電子機器に挿入する様子を示す図であり、図５（ａ）は、アダプタ付き情報記録媒体を電子機器に挿入する前の状態を示し、図５（ｂ）は、アダプタ付き情報記録媒体を電子機器に挿入した後の状態を示す。
【図６】第２実施形態における情報記録媒体付きシートを示し、図６（ａ）は、展開図の表面、図６（ｂ）は、展開図の裏面を示す。
【図７】図６に示す情報記録媒体付きシートを葉書きとしたときの断面図である。
【図８】第３実施形態における情報記録媒体付きシートを示し、図８（ａ）は、展開図の表面、図８（ｂ）は、展開図の裏面を示す。
【図９】図８に示す情報記録媒体付きシートを往復葉書きとしたものを示し、図９（ａ）は、往復葉書きの表面、図９（ｂ）は往復葉書きの裏面、図９（ｃ）は、往復葉書きを通常の葉書きと同じ大きさになるように中央で折り曲げた状態を示す図である。
【図１０】図９に示す往復葉書きの情報記録媒体を利用するために、中央紙片から往信用紙片を剥がす様子を示す図である。
【図１１】図１０に示す往復葉書きにより、情報記録媒体を保護状態にしている様子を示す図であり、図１１（ａ）は、返信用紙片から剥離シートを剥がす様子を示す図であり、図１１（ｂ）は、返信用紙片と中央紙片とを貼り合わせる様子を示す図であり、図１１（ｃ）は、情報記録媒体を保護した状態を示す図である。
【発明を実施するための形態】
【００２０】
以下、図面を参照して、本発明の好適な情報記録媒体付きシートについて詳細に説明する。
【００２１】
＜第１実施形態＞
図１は、本第１実施形態における情報記録媒体付きシート１０を示し、図１（ａ）は、情報記録媒体付きシート１０の分解斜視図、図１（ｂ）は、情報記録媒体付きシート１０の斜視図を示す。図２は、情報記録媒体付きシート１０の断面図を示し、図２（ａ）は、図１（ｂ）のII（ａ）−II（ａ）断面図、図２（ｂ）は、図１（ｂ）のII（ｂ）−II（ｂ）断面図を示す。
【００２２】
図１（ａ）に示すように、情報記録媒体１を、その端子２を露出するように上にして、シート３に接着剤等によって貼付する。シート３には、予め、情報記録媒体１の外周のうち、電子機器に挿入される情報記録媒体１の辺に沿って、ミシン目又はハーフカット４を形成しておく。具体的には、情報記録媒体１における端子２付近の辺及びその両側の辺に沿って、ミシン目又はハーフカット４を形成する。これらの情報記録媒体１の辺は、電子機器の挿入スロットに挿入されるからである。このミシン目又はハーフカット４は、後に切り取られて、情報記録媒体１に貼付されたシート部分が立ち上がるように、ミシン目又はハーフカット４の端部同士を結ぶ辺で折り曲げられる。なお、そのミシン目又はハーフカット４の端部同士を結ぶ辺に、折り曲げを容易にするための折れ線を押圧して形成してもよい。
【００２３】
また、情報記録媒体１がシート３に貼付された状態で、さらに、情報記録媒体１全体を覆うようにシート３にかけて、保護シール６が貼られている。なお、シート３は、紙であっても、プラスチック製や合成樹脂製のシートであってもよい。シート３の大きさは、葉書きとして利用して郵送するために葉書きと同じ大きさにしたり、持ち運びを便利にするために、名刺と同じ程度の大きさにするとよい。
【００２４】
しかるに、図１（ｂ）、図２に示すように、情報記録媒体１は、シート３に接着剤７によって貼り付けられ、シート３及び保護シール６によって挟まれるように保護された状態となる。なお、シート３に情報記録媒体１のデータの内容を書き込んでおくことで、データの内容を確認しやすくすることができる。また、電子機器類に不慣れな者であっても無くしにくい。
【００２５】
続いて、情報記録媒体１を電子機器類に読み込ませて利用する方法について図３〜図５を参照して説明する。
【００２６】
図３に示すように、情報記録媒体付きシート１０のシート３から保護シール６を剥がす（図３（ａ）参照）。すると、情報記録媒体１は、シート３上にむき出しとなる（図３（ｂ）参照）。そのうえで、ミシン目（又はハーフカット）４に沿ってシート３を切り、ミシン目（又はハーフカット）４の端部同士を結ぶ線上でシート３を折り曲げて、情報記録媒体１をシート３に対して角度を持たせるように立たせ、端子２がシート３に対して法線方向を向くようにする（図３（ｃ）参照）。情報記録媒体１を読み取らせたいデジタルフォトフレームなどの電子機器に、情報記録媒体１を挿入することができる挿入スロットを有するのであれば、情報記録媒体１がシート３に繋がれた状態のまま、電子機器の挿入スロットに挿入する。
【００２７】
また、電子機器が備える挿入スロットが情報記録媒体１よりも大きい場合には、図４に示すように、情報記録媒体１に対して、電子機器が備える挿入スロットに電気的接続を確実に行うためのアダプタ１２を被せる（図４（ａ）、（ｂ）参照）。そのうえで、情報記録媒体１をアダプタ１２とともに、電子機器２０の挿入スロット２２に挿入する（図４（ｃ）参照）。
【００２８】
図５は、情報記録媒体１を電子機器２０の挿入スロット２２に挿入する様子を示している。図５に示すように、アダプタ１２が付けられた情報記録媒体１を、電子機器２０の挿入スロット２２に挿入する（図５（ａ）参照）。通常電子機器２０の挿入スロット２２の深さは、図５（ｂ）に示すように、一般の情報記録媒体を取り出すときに指でつまみやすくなるよう、情報記録媒体の挿入方向高さの約７割程度であるため、情報記録媒体１を挿入スロット２２に挿入した状態でも、情報記録媒体１の端部が挿入スロット２２から突出しており、シート３が情報記録媒体１の読取の際に障害になることはない。このことは、情報記録媒体１を直接挿入スロット２２に挿入する場合も同様である。
【００２９】
また、情報記録媒体１の一面には、ミシン目４によって切り取られたシート３の部分が付着しているが、挿入スロット２２の幅には、通常の情報記録媒体を利用する際も抜き差しに支障がないよう空間的な遊びがあるため、シート３の厚さを、設計上の遊びの範囲内とすることで、情報記録媒体１の抜き差しに支障なく利用することができる。通常の官製葉書きの厚さ程度であれば、挿入スロット２２への挿入に支障なく、情報記録媒体１に付着させることができる。
【００３０】
これにより、電子機器（デジタルフォトフレーム）２０は、情報記録媒体１から電子データを読み取って、ディスプレイ２１に画像を表示する。
【００３１】
＜第２実施形態＞
次に、図６及び図７を参照して、第２実施形態に係る情報記録媒体付きシートを説明する。図６（ａ）は、シートとして葉書き用の用紙片３１，３２を用いたときの展開図の表面を示し、図６（ｂ）は、展開図の裏面を示す。
【００３２】
図６（ａ）に示すように、展開された表面においては、用紙片３１に送り先等を記入し、用紙片３２にメッセージ等を記入する構成となっている。また、図６（ｂ）に示すように、展開された裏面の用紙片３１に、情報記録媒体１が接着剤等により貼付されている。ここで、情報記録媒体１は、その端子２が露出するように、用紙片３１に貼付されている。そして、第１実施形態と同様に、情報記録媒体１における端子２付近の辺及びその両側の辺に沿って、ミシン目又はハーフカット４が形成されている。なお、情報記録媒体１を用紙片３２に貼付してもよい。
【００３３】
そして、図６（ｂ）に示すように、情報記録媒体１が用紙片３１に貼付された状態で、図中矢印に示すように、中央で折り曲げて、用紙片３１と用紙片３２とを剥離可能な易剥離性接着剤によって貼り合わせる。図７は、用紙片３１と用紙片３２とを貼り合せた後の葉書きの断面図である。図７に示すように、情報記録媒体１は、用紙片３１に接着剤７により貼付され、上から用紙片３２が易剥離性接着剤８によって用紙片３１全面に貼り合わされている。なお、用紙片３１と用紙片３２とを貼り合せる際には、用紙片３１，３２における情報記録媒体１の周辺領域同士を押圧して貼り合せ、情報記録媒体１を加圧しないようにすれば、情報記録媒体１が破損するのを防止することができる。
【００３４】
易剥離性接着剤８は、感圧性接着剤とし、その組成としては、例えば、天然ゴムラテックス等の粘着主剤に、ロジン、水添ロジン等の粘着付与剤、マイクロシリカ、炭酸カルシウム等の無機充填剤、コーンスターチ、セルロース粉末等の添加剤、γ−メルカプトプロピルトリメトキシシラン等のシランカップリング剤を一定割合で添加し、さらに必要に応じて、ポリビニルアルコール等のように、粘着主剤と相溶性を有しない樹脂やその他の添加剤を添加するとよい。
【００３５】
この構成により、情報記録媒体１は、用紙片３１，３２によって挟まれ、郵送時の離脱や破損を防ぐように保護されており、この葉書きを用いて、情報記録媒体１を郵送することができる。この葉書きを受け取った者が情報記録媒体１を利用する場合には、剥離可能な易剥離性接着剤８を境にして、用紙片３２を用紙片３１から剥がし、第１実施形態と同様に、ミシン目又はハーフカット４に沿って用紙片３１を切り、ミシン目（又はハーフカット）４の端部同士を結ぶ線上で用紙片３１を折り曲げて、情報記録媒体１を用紙片３１に対して角度を持たせるように立たせ、端子２が用紙片３１に対して法線方向を向くようにする。そのうえで、情報記録媒体１を読み取らせたいデジタルフォトフレームなどの電子機器に、情報記録媒体１を挿入することができる挿入スロットを有するのであれば、情報記録媒体１がシート３に繋がれた状態のまま、電子機器の挿入スロットに挿入する。電子機器の挿入スロットが情報記録媒体１よりも大きい場合には、上述のように、アダプタ１２を用いるとよい。
【００３６】
なお、本発明は、上記第２実施形態に限られない。例えば、情報記録媒体１上に易剥離性接着剤８が塗布されていなくとも、用紙片３１，３２における情報記録媒体１の周辺領域に、易剥離性接着剤８が塗布されていれば、用紙片３１と用紙片３２とを貼り合せることができる。また、易剥離性接着剤８の剥離性の程度は、目的用途によって適宜調整する。
【００３７】
＜第３実施形態＞
次に、図８〜図１１を参照して、第３実施形態に係る情報記録媒体付きシートを説明する。第３実施形態においては、情報記録媒体付きシートを往復葉書きとして用いる。
【００３８】
図８（ａ）は、展開図の表面を示し、図８（ｂ）は、展開図の裏面を示す。図８に示すように、シートは、往信用紙片３４、中央紙片３５及び返信用紙片３６が連接された三紙片により構成される。また、図８（ｂ）に示すように、情報記録媒体１は、中央紙片３５の裏面に貼付されており、第１実施形態と同様に、中央紙片３５には、情報記録媒体１における端子２付近の辺及びその両側の辺に沿って、ミシン目又はハーフカット４が形成されている。往信用紙片３４の裏面には、剥離可能な易剥離性接着剤層６Ａが形成されており、返信用紙片３６には、易剥離性接着剤層９ｂ（図１１（ａ）参照）が形成され、その上に、剥離シート９ａが貼り付けられている。これを往復葉書きとして利用できるようにするには、往信用紙片３４と中央紙片３５との境界で折り曲げて、往信用紙片３４の裏面と中央紙片３５の裏面とを易剥離性接着剤層６Ａによって貼り合わせる。ここで、易剥離性接着剤層６Ａは、第２実施形態の易剥離性接着剤８と同様の組成であってよい。また、易剥離性接着剤層９ｂとしては、例えば、ベースポリマーに熱発泡剤を含有し、両面接着テープ等にも用いられる熱剥離性粘着剤層を用いるとよい。この易剥離性接着剤層９ｂは、剥離シート９ａを剥がされても接着性を有するものであり、中央紙片３５と貼り合わせることができる。そして、郵送後、情報記録媒体１を取り外すために、適切な熱を加えることで、中央紙片３５と返信用紙片３６を剥離させることができる。なお、易剥離性接着剤層９ｂとして、紫外線等の光線・電子線で分解する接着剤を用い、紫外線等を当てて中央紙片３５と返信用紙片３６を剥離させるようにしてもよい。
【００３９】
図９は、往信用紙片３４の裏面と中央紙片３５の裏面とを貼り合わせて、往復葉書きとしたものを示しており、図９（ａ）は、往復葉書きの表面、図９（ｂ）は往復葉書きの裏面、図９（ｃ）は、往復葉書きを通常の葉書きと同じ大きさになるように中央で折り曲げた状態を示す図である。図９に示すように、往復葉書きの往信用紙片３４の裏に、情報記録媒体１が中央紙片３５と挟まれるように保護されており、返信用紙片３６には、易剥離性接着剤層９ｂと剥離シート９ａとが積層されている。このような往復葉書きの往信用紙片３４に送信先を記入すれば、情報記録媒体１を郵送することができる。
【００４０】
この往復葉書きを受け取った者が情報記録媒体１を利用する場合には、図１０に示すように、易剥離性接着剤層６Ａを境にして、中央紙片３５から往信用紙片３４を剥がし（図１０中の矢印参照）、第１実施形態と同様に、ミシン目又はハーフカット４に沿って中央紙片３５を切り、ミシン目（又はハーフカット）４の端部同士を結ぶ線上で中央紙片３５を折り曲げて、情報記録媒体１を中央紙片３５に対して角度を持たせるように立たせ、情報記録媒体１の端子２が中央紙片３５に対して法線方向を向くようにする。そのうえで、情報記録媒体１を読み取らせたいデジタルフォトフレームなどの電子機器に、情報記録媒体１を挿入することができる挿入スロットを有するのであれば、情報記録媒体１がシート３に繋がれた状態のまま、電子機器の挿入スロットに挿入する。電子機器の挿入スロットが情報記録媒体１よりも大きい場合には、上述のように、アダプタ１２を用いればよい。
【００４１】
情報記録媒体１を利用後、返信用紙片３６を用いて情報記録媒体１を郵送する場合、図１１（ａ）に示すように、往信用紙片３４を中央紙片３５から切り取る。そして、返信用紙片３６から剥離シート９ａを剥がし、易剥離性接着剤層９ｂを露出させる。そのうえで、図１１（ｂ）に示すように、返信用紙片３６と中央紙片３５の中央で折り曲げ、易剥離性接着剤層９ｂにより、返信用紙片３６と中央紙片３５とを貼り合わせる。これにより、返信用紙片３６と中央紙片３５によって情報記録媒体１が挟まれるように保護された状態となる。返信を受け取った者にとっては、易剥離性接着剤層９ｂを境に、返信用紙片３６と中央紙片３５とを容易に剥がすことができ、情報記録媒体１を取り出すことができる。
【００４２】
なお、本発明は、上記第３実施形態に限られない。例えば、易剥離性接着剤層６Ａ，９ｂは、情報記録媒体１にかからず、往信用紙片３４ないし返信用紙片３６を中央紙片３５に貼り合せたときに、情報記録媒体１を囲むような形状に形成してもよい。また、易剥離性接着剤層６Ａ，９ｂの剥離性の程度は、目的用途によって適宜調整し、特に易剥離性接着剤層９ｂは場合によって剥離性を持たせなくてもよい。
【００４３】
サーバ管理者等は、画像データ等の電子データの提供を行う場合、インターネット等によってアップロードされた電子データ等を情報記録媒体１に記録し、上記第１〜３実施形態に示した葉書きによって、電子機器類に不慣れな者や、インターネットを利用できない者に郵送することができる。
【符号の説明】
【００４４】
１…情報記録媒体
２…端子
３…シート
４…ミシン目又はハーフカット
６…保護シール
６Ａ…易剥離性接着剤層
７…接着剤
８…易剥離性接着剤
９ａ…剥離シート
９ｂ…易剥離性接着剤層
１０…情報記録媒体付きシート
１２…アダプタ
１３…端子
２０…電子機器（デジタルフォトフレーム）
２１…ディスプレイ
２２…情報記録媒体の挿入スロット
３１，３２…用紙片
３４…往信用紙片
３５…中央紙片
３６…返信用紙片
【図１】
2010244263.tif 000003
【図２】
2010244263.tif 000004
【図３】
2010244263.tif 000005
【図４】
2010244263.tif 000006
【図５】
2010244263.tif 000007
【図６】
2010244263.tif 000008
【図７】
2010244263.tif 000009
【図８】
2010244263.tif 000010
【図９】
2010244263.tif 000011
【図１０】
2010244263.tif 000012
【図１１】
2010244263.tif 000013